【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
複数のアクチュエータシステムを含む印刷ヘッドであって、
各アクチュエータシステムは、
横方向に間隔を開けて配置される複数の駆動電極であって、各駆動電極が、横方向に間隔を開けて配置され、隙間によって、隣接する駆動電極から電気的に分離されている、複数の駆動電極と、
複数の隔膜であって、間隔を開けて横方向に配置される前記複数の駆動電極の各駆動電極が、複数の隔膜のうちの１枚の隔膜と一意的に対を成す、複数の隔膜と、
前記複数の隔膜、および前記複数の隔膜と物理的に接触する本体チャンバ内の複数のノードにより部分的に画定され、印刷中はインクで満たされるよう構成される本体チャンバと、
複数のノズルを含む開口プレートと、
を含み、
前記複数の隔膜と横方向に間隔を開けて配置される前記複数の駆動電極は、前記複数のノズルの中の１つのノズルのみからインクを吐出させるように構成されており、
横方向に間隔を開けて配置される前記複数の駆動電極は、前記開口プレートの主要な面に平行な方向に横方向に間隔を開けて配置されている、
印刷ヘッド。
【請求項２】
各本体チャンバが、平面視において、
全長寸法と
幅寸法と、をさらに含み、前記全長寸法を前記幅寸法で除算した値、および前記幅寸法を前記全長寸法で除算した値のうちの少なくとも一方が、１．０から２．０の間である、請求項１に記載の印刷ヘッド。
【請求項３】
約１．０μｍから約１０．０μｍの間の厚さを有し、前記複数の隔膜を形成する連続隔膜層をさらに含む請求項２に記載の印刷ヘッド。
【請求項４】
前記複数のアクチュエータシステムの各アクチュエータシステムの横方向に間隔を開けて配置される各駆動電極が、個々にアドレス指定可能な、請求項１に記載の印刷ヘッド。
【請求項５】
前記本体チャンバ内の前記複数のノードは第１の複数のノードであり、各アクチュエータシステムが、
前記複数の隔膜を形成する連続隔膜層と、
前記連続隔膜層と物理的に接触する第２の複数のノードであって、前記第２の複数のノードのうちの１つのノードが、間隔を開けて配置される前記複数の駆動電極の各駆動電極の間で横に挟まれる、第２の複数のノードと、
前記本体チャンバと流体連通するインク入口と、
前記インク入口および前記ノズルと流体連通するインク出口と、をさらに含む、請求項１に記載の印刷ヘッド。
【請求項６】
各アクチュエータシステムが、圧電アクチュエータを含み、各圧電アクチュエータが、間隔を開けて配置された複数の圧電部をさらに含み、前記圧電部のうちの１つの圧電部が、各駆動電極と、前記駆動電極と一意的に対を成す前記隔膜との間に挟まれる、請求項１に記載の印刷ヘッド。
【請求項７】
各アクチュエータシステムが、静電アクチュエータを含み、
各静電アクチュエータシステムが、前記複数の隔膜を覆う基板をさらに含み、
前記複数の駆動電極の各駆動電極が、前記基板の上に形成され、
アクチュエータの空気チャンバにより、各駆動電極がそれと対を成す隔膜から隔てられて、印刷中に前記隔膜がそれと対を成す駆動電極に向けて歪むよう構成されるようにする、請求項１に記載の印刷ヘッド。
【請求項８】
各駆動電極は個々にアドレス指定可能であり、前記印刷ヘッドが、
前記複数の隔膜のうちの第１の数の隔膜を選択的に歪ませて、第１の体積および第１の速度のうちの少なくとも一方を有する第１のインク滴を前記ノズルから吐出し、
前記複数の隔膜のうちの前記第１の数より大きな第２の数の隔膜を選択的に歪ませて、前記第１の体積より大きな第２の体積および前記第１の速度より速い第２の速度のうちの少なくとも一方を有する第２のインク滴を吐出させるよう構成される、請求項１に記載の印刷ヘッド。
【請求項９】
前記複数の隔膜を形成する連続隔膜層と、
前記隔膜と物理的に接触する、前記本体チャンバ内の複数のノードの各ノードの第１の端と、
下部印刷ヘッド層と物理的に接触する、前記複数のノードの各ノードの第２の端と、をさらに含む請求項１に記載の印刷ヘッド。
【請求項１０】
前記複数の隔膜を形成する連続隔膜層と、
前記隔膜と物理的に接触する、前記本体チャンバ内の複数のノードの各ノードの第１の端と、
下部印刷ヘッド層によって支持されていない、前記複数のノードの各ノードの第２の端と、をさらに含む請求項１に記載の印刷ヘッド。
【請求項１１】
複数のアクチュエータシステムを含む少なくとも１つの印刷ヘッドであって、各アクチュエータシステムが、
横方向に間隔を開けて配置される複数の駆動電極であって、各駆動電極が、横方向に間隔を開けて配置され、隙間によって、隣接する駆動電極から電気的に分離されている、複数の駆動電極と、
複数の隔膜であって、間隔を開けて横方向に配置される前記複数の駆動電極の各駆動電極が、複数の隔膜のうちの１枚の隔膜と一意的に対を成す、複数の隔膜と、
前記複数の隔膜、および前記複数の隔膜と物理的に接触する本体チャンバ内の複数のノードにより部分的に画定され、印刷中はインクで満たされるよう構成される本体チャンバと、
複数のノズルを含む開口プレートと、
を含み、
前記複数の隔膜と横方向に間隔を開けて配置される前記複数の駆動電極は、前記複数のノズルの中の１つのノズルのみからインクを吐出させるように構成されており、
横方向に間隔を開けて配置される前記複数の駆動電極は、前記開口プレートの主要な面に平行な方向に横方向に間隔を開けて配置されている、印刷ヘッドと、
前記印刷ヘッドを収納するプリンタ筐体と、
を含むプリンタ。
【請求項１２】
各本体チャンバが、平面視において、
全長寸法と
幅寸法と、をさらに含み、前記全長寸法を前記幅寸法で除算した値、および前記幅寸法を前記全長寸法で除算した値のうちの少なくとも一方が、１．０から２．０の間である、請求項１１に記載のプリンタ。
【請求項１３】
約１．０μｍから約１０．０μｍの間の厚さを有し、前記複数の隔膜を形成する連続隔膜層をさらに含む請求項１２に記載のプリンタ。
【請求項１４】
前記複数のアクチュエータシステムの各アクチュエータシステムの横方向に間隔を開けて配置される各駆動電極が、個々にアドレス指定可能な、請求項１１に記載のプリンタ。
【請求項１５】
前記本体チャンバ内の前記複数のノードは第１の複数のノードであり、各アクチュエータシステムが、
前記複数の隔膜を形成する連続隔膜層と、
前記連続隔膜層と物理的に接触する第２の複数のノードであって、前記第２の複数のノードのうちの１つのノードが、間隔を開けて配置される前記複数の駆動電極の各駆動電極の間で横に挟まれる、第２の複数のノードと、
前記本体チャンバと流体連通するインク入口と、
前記インク入口および前記ノズルと流体連通するインク出口と、をさらに含む、請求項１１に記載のプリンタ。
【請求項１６】
各アクチュエータシステムが、圧電アクチュエータを含み、各圧電アクチュエータが、間隔を開けて配置された複数の圧電部をさらに含み、前記圧電部のうちの１つの圧電部が、各駆動電極と、前記駆動電極と一意的に対を成す前記隔膜との間に挟まれる、請求項１１に記載のプリンタ。
【請求項１７】
各アクチュエータシステムが、静電アクチュエータを含み、
各静電アクチュエータシステムが、前記複数の隔膜を覆う基板をさらに含み、
前記複数の駆動電極の各駆動電極が、前記基板の上に形成され、
アクチュエータの空気チャンバにより、各駆動電極がそれと対を成す隔膜から隔てられて、印刷中に前記隔膜がそれと対を成す駆動電極に向けて歪むよう構成されるようにする、請求項１１に記載のプリンタ。
【請求項１８】
各駆動電極は個々にアドレス指定可能であり、前記印刷ヘッドが、
前記複数の隔膜のうちの第１の数の隔膜を選択的に歪ませて、第１の体積および第１の速度のうちの少なくとも一方を有する第１のインク滴を前記ノズルから吐出し、
前記複数の隔膜のうちの前記第１の数より大きな第２の数の隔膜を選択的に歪ませて、前記第１の体積より大きな第２の体積および前記第１の速度より速い第２の速度のうちの少なくとも一方を有する第２のインク滴を吐出させるよう構成される、請求項１１に記載のプリンタ。
【請求項１９】
前記複数の隔膜を形成する連続隔膜層と、
前記隔膜と物理的に接触する、前記本体チャンバ内の複数のノードの各ノードの第１の端と、
下部印刷ヘッド層と物理的に接触する、前記複数のノードの各ノードの第２の端と、をさらに含む請求項１１に記載のプリンタ。
【請求項２０】
インクを印刷する方法であって、
第１のアクチュエータシステムの第２の駆動電極を非起動のままにして、アクチュエータシステムのアレイの一部である前記第１のアクチュエータシステムの第１の駆動電極を起動させて、前記アクチュエータシステムの第１の駆動電極と一意的に対を成す第１の隔膜を歪ませて、第１の体積、第１の速度、および第１の方向性のうちの少なくとも一方を有する第１のインク滴を開口プレート内のノズルから吐出させるステップと、
前記第１のアクチュエータシステムの前記第２の駆動電極を起動さて、前記アクチュエータシステムの第２の駆動電極と一意的に対を成す第２の隔膜を歪ませて、同時に、前記第１の駆動電極を起動させて、第２の体積、第２の速度、および第２の方向性のうちの少なくとも１つを有する第２のインク滴を前記開口プレート内の前記ノズルから吐出させるステップであって、前記第２の体積、前記第２の速度、および前記第２の方向性のうちの前記少なくとも１つは、前記第１の体積、前記第１の速度、および前記第１の方向性のうちの前記少なくとも１つとは異なり、前記第１の駆動電極が、前記開口プレートの主要な面に平行な方向に、横方向に間隔を開けて配置され、隙間によって、前記第２の駆動電極から電気的に分離されている、ステップと、を含む方法。